(57)【要約】【課題】業務戦略とそれに関連する複数の業務の業務プロセス、業務システムパラメータ及びパラメータ設定メソッドまでの検索手段を提供し、業務戦略の変更に対して、容易に対応できる業務システムパラメータ設定システムを提供する。【解決手段】業務戦略とその業務戦略に関係する業務プロセス、業務プロセスとその業務プロセスに関係する業務システム及び業務システムパラメータ、及び業務システムパラメータのパラメータ設定メソッドを登録する記憶装置９００と、記憶装置９００に登録された情報に基づいて、業務戦略に関連する業務システムパラメータ及びパラメータ設定メソッドを検索する戦略−業務パラメータ検索手段３００と、戦略−業務パラメータ検索手段３００により検索された業務システムパラメータ及びパラメータ設定メソッドに基づいて、業務システムの業務システムパラメータを設定するパラメータ設定メソッド指定手段４００を備えた。【選択図】        図１
2004252691.tif 000002
【特許請求の範囲】
【請求項１】
予め業務戦略とその業務戦略に関係する業務プロセスとの関連性、前記業務プロセスとその業務プロセスに関係する業務システム及び業務システムパラメータとの関連性、及び前記業務システムパラメータのパラメータ設定メソッドを登録し、登録された情報に基づいて、前記業務戦略に関連する複数の業務プロセス、業務システム、業務システムパラメータ及びパラメータ設定メソッドを検索し、検索された業務システムパラメータ及びパラメータ設定メソッドに基づいて、前記業務システムの業務システムパラメータを設定することを特徴とする業務システムパラメータ設定方法。
【請求項２】
予め業務戦略とその業務戦略に関係する業務プロセスとの関連性、前記業務プロセスとその業務プロセスに関係する業務システム及び業務システムパラメータとの関連性、及び前記業務システムパラメータのパラメータ設定メソッドを登録し、登録された情報に基づいて、前記業務戦略に関連する複数の業務プロセス、業務システム、業務システムパラメータ及びパラメータ設定メソッドを検索し、検索された業務システムパラメータ及びパラメータ設定メソッドとパラメータ設定メソッドに対して設定されたパラメータ設定式に基づいて、前記業務システムの業務システムパラメータを設定することを特徴とする業務システムパラメータ設定方法。
【請求項３】
業務戦略とその業務戦略に関係する業務プロセスとの関連性、前記業務プロセスとその業務プロセスに関係する業務システム及び業務システムパラメータとの関連性、及び前記業務システムパラメータのパラメータ設定メソッドを登録する記憶装置と、
前記記憶装置に登録された情報に基づいて、前記業務戦略に関連する複数の業務プロセス、業務システム、業務システムパラメータ及びパラメータ設定メソッドを検索する戦略−業務パラメータ検索手段と、
前記戦略−業務パラメータ検索手段により検索された業務システムパラメータ及びパラメータ設定メソッドに基づいて、前記業務システムの業務システムパラメータを設定するパラメータ設定メソッド指定手段を備えたことを特徴とする業務システムパラメータ設定システム。
【請求項４】
請求項３記載の業務システムパラメータ設定システムにおいて、
前記パラメータ設定メソッド指定手段は、前記戦略−業務パラメータ検索手段により検索された業務システムパラメータ及びパラメータ設定メソッドとパラメータ設定メソッドに対して設定されたパラメータ設定式に基づいて、前記業務システムの業務システムパラメータを設定することを特徴とする業務システムパラメータ設定システム。
【請求項５】
請求項３又は４記載の業務システムパラメータ設定システムにおいて、
前記記憶装置に、前記業務戦略とその業務戦略に関係する業務プロセスとの関連性、前記業務プロセスとその業務プロセスに関係する業務システム及び業務システムパラメータとの関連性、及び前記業務システムパラメータのパラメータ設定メソッドを登録する戦略−業務システム関連知識登録手段を備えたことを特徴とする業務システムパラメータ設定システム。
【発明の詳細な説明】
【０００１】
【発明の属する技術分野】
本発明は、業務システムのパラメータを設定する業務システムパラメータ設定方法及び業務システムパラメータ設定システムに関し、特に、業務戦略が変更された際の業務システムパラメータ変更に適用して有効な技術に関する。
【０００２】
【従来の技術】
従来、業務システムなどのパラメータ設定に関する技術としては、予めシステムに求める所定の条件を決め、その条件に合致するパラメータ算出を行うパラメータ設定装置（例えば、特許文献１参照）や、予めパラメータ間の関連性や妥当性に関する情報を記憶し、それに基づいて自動生成されたパラメータの妥当性を検査する運転パラメータ支援装置（例えば、特許文献２参照）などがあった。
【０００３】
【特許文献１】
特開平９−６５９７号公報
【０００４】
【特許文献２】
特開平５−７３１０３号公報
【０００５】
【発明が解決しようとする課題】
しかしながら、上記特許文献１、２に記載のような従来技術では、例えば、業務戦略（原価低減等）と言うような業務システム機能より上位レベルの概念の変更を行う場合には、対策となる業務プロセス（購入費低減や加工費低減等）を検討し、関連する業務システムパラメータ（購入品単価や工数レート等）の洗い出しと見直しの全て、あるいは一部を手作業で実施するものであった。
【０００６】
また、従来から、販売、在庫管理、生産管理、財務会計などの複数の業務システムがお互いに連携した情報システム系において、経営者、幹部層の業務戦略（原価低減等）に関連した業務システムパラメータ、例えば、購買システムでの購入品単価や生産システムでの工程の工数レート、又は賃率等の設定まで支援するものは無く、業務戦略に関連した業務システムパラメータの変更を容易にできる業務システムパラメータ設定システムの登場が望まれていた。
【０００７】
本発明はこのような問題点を解決するためになされたものであり、業務戦略とそれに関連する１つ、又は複数の業務の業務プロセス、業務システムパラメータ及びパラメータ設定メソッドまでの検索手段を提供し、業務戦略の変更に対して、容易に対応できる業務システムパラメータ設定方法及び業務システムパラメータ設定システムを提供することを目的とする。
【０００８】
【課題を解決するための手段】
第１の発明に係る業務システムパラメータ設定方法は、予め業務戦略とその業務戦略に関係する業務プロセスとの関連性、業務プロセスとその業務プロセスに関係する業務システム及び業務システムパラメータとの関連性、及び業務システムパラメータのパラメータ設定メソッドを登録し、登録された情報に基づいて、業務戦略に関連する複数の業務プロセス、業務システム、業務システムパラメータ及びパラメータ設定メソッドを検索し、検索された業務システムパラメータ及びパラメータ設定メソッドに基づいて、業務システムの業務システムパラメータを設定するものである。
【０００９】
第２の発明に係る業務システムパラメータ設定方法は、予め業務戦略とその業務戦略に関係する業務プロセスとの関連性、業務プロセスとその業務プロセスに関係する業務システム及び業務システムパラメータとの関連性、及び業務システムパラメータのパラメータ設定メソッドを登録し、登録された情報に基づいて、業務戦略に関連する複数の業務プロセス、業務システム、業務システムパラメータ及びパラメータ設定メソッドを検索し、検索された業務システムパラメータ及びパラメータ設定メソッドとパラメータ設定メソッドに対して設定されたパラメータ設定式に基づいて、業務システムの業務システムパラメータを設定するものである。
【００１０】
第３の発明に係る業務システムパラメータ設定システムは、業務戦略とその業務戦略に関係する業務プロセスとの関連性、業務プロセスとその業務プロセスに関係する業務システム及び業務システムパラメータとの関連性、及び業務システムパラメータのパラメータ設定メソッドを登録する記憶装置と、記憶装置に登録された情報に基づいて、業務戦略に関連する複数の業務プロセス、業務システム、業務システムパラメータ及びパラメータ設定メソッドを検索する戦略−業務パラメータ検索手段と、戦略−業務パラメータ検索手段により検索された業務システムパラメータ及びパラメータ設定メソッドに基づいて、業務システムの業務システムパラメータを設定するパラメータ設定メソッド指定手段を備えたものである。
【００１１】
第４の発明に係る業務システムパラメータ設定システムは、第３の発明において、パラメータ設定メソッド指定手段は、戦略−業務パラメータ検索手段により検索された業務システムパラメータ及びパラメータ設定メソッドとパラメータ設定メソッドに対して設定されたパラメータ設定式に基づいて、業務システムの業務システムパラメータを設定するものである。
【００１２】
第５の発明に係る業務システムパラメータ設定システムは、第３又は第４の発明において、記憶装置に、業務戦略とその業務戦略に関係する業務プロセスとの関連性、業務プロセスとその業務プロセスに関係する業務システム及び業務システムパラメータとの関連性、及び業務システムパラメータのパラメータ設定メソッドを登録する戦略−業務システム関連知識登録手段を備えたものである。
【００１３】
【発明の実施の形態】
以下、本発明の実施の形態を図面に基づいて詳細に説明する。
【００１４】
図１により、本発明の一実施の形態における業務システムパラメータ設定システムの一例を説明する。図１は業務システムパラメータ設定システムの全体構成図である。
【００１５】
図１において、業務システムパラメータ設定システムは、業務戦略と業務プロセスの関連性、業務プロセスと業務システムの業務システムパラメータの関連性を登録するための戦略−業務システム関連知識登録手段２００と、戦略−業務システム関連知識登録手段２００から入力された情報を保持する知識ベース５００と、知識ベース５００の情報を用いて、業務戦略に関連する業務プロセス、業務システム、業務システムパラメータの特定及び特定されたパラメータの設定メソッドを検索する戦略−関連業務パラメータ検索手段３００と、戦略−関連業務パラメータ検索手段３００で検索された業務システムパラメータと業務パラメータ設定メソッド名を元に、知識ベース５００に格納された業務システムのパラメータ設定メソッドを呼び出し、設定方法の指定と、設定方法に基づく業務システム新パラメータ設定の実行と保存を行うパラメータ設定メソッド指定手段４００と、旧業務システムパラメータを保存する旧業務システムパラメータデータベース６００と、新業務システムパラメータを保存する新業務システムパラメータデータベース７００と、利用者が戦略−業務システム関連知識登録手段２００、戦略−関連業務パラメータ検索手段３００及びパラメータ設定メソッド指定手段４００の操作を行うための入出力装置１００から構成されている。
【００１６】
また、戦略−業務システム関連知識登録手段２００、戦略−関連業務パラメータ検索手段３００及びパラメータ設定メソッド指定手段４００は、処理装置８００上で動作するようになっている。
【００１７】
また、知識ベース５００、旧業務システムパラメータデータベース６００及び新業務システムパラメータデータベース７００で記憶装置９００を構成している。
【００１８】
次に、この実施の形態の動作について説明する。
【００１９】
まず、初期メニュー画面及び利用者の操作について説明する。
【００２０】
図２は初期メニュー画面の一例を示す図である。
【００２１】
なお、以下の説明において、画面中の表示の説明については、「  」付きで表す。
【００２２】
まず、初期メニュー画面として、図２に示すような画面が表示されている。
【００２３】
そして、利用者が、「戦略−業務システム関連知識登録」のラジオボタンを選択し「実行」ボタンをクリックすると、戦略−業務システム関連知識登録手段２００の処理に移り、業務戦略とそれに関連する業務プロセス、業務システム名、業務システムパラメータやパラメータの設定メソッドの情報を知識ベース５００に登録することができるようになっている。
【００２４】
一方、「戦略−関連業務パラメータ検索及びパラメータ設定メソッド指定」のラジオボタンを選択し、「実行」ボタンをクリックした場合は、戦略−関連業務パラメータ検索手段３００及びパラメータ設定メソッド指定手段４００の処理に移り、業務戦略、業務プロセス、業務システム名、業務システムパラメータ、設定メソッドの順で知識ベース５００からの情報検索とパラメータの設定メソッドの指定とパラメータ設定を実行することができるようになっている。
【００２５】
また、「終了」ボタンをクリックした場合は業務システムパラメータ設定システムが終了する。
【００２６】
次に、戦略−業務システム関連知識登録手段２００の動作について説明する。
【００２７】
まず、戦略−業務システム関連知識登録手段２００による処理時の表示画面及び利用者の操作について説明する。
【００２８】
図３は、戦略−業務システム関連知識登録手段２００の処理時における表示画面の一例を示す図である。
【００２９】
まず、利用者は、「１．業務戦略の登録」において、知識ベース５００に登録されている戦略に関して、下位の業務プロセスなどの関連情報を修正し再度登録する既存情報の再登録と、新たな業務戦略を知識ベース５００に追加登録する新規追加の二つの操作を行うことができる。
【００３０】
そして、既存情報の再登録の操作は、「既存情報の再登録」の選択ボックスにカーソルを置くと、知識ベース５００から業務戦略が抽出され、例えばプルダウンにより表示される。この表示された戦略を選択しクリックすると、再登録の対象としての業務戦略が「対象となる戦略」ボックスに表示される。
【００３１】
また、新規追加操作は、「新規追加」の入力ボックスに新しい業務戦略を入力し、「追加」ボタンをクリックすると追加対象としての業務戦略が「対象となる戦略」ボックスに表示される。
【００３２】
なお、既存情報の再登録操作と新規追加操作が両方行われた場合は、新規追加の業務戦略を優先し、「対象となる戦略」に表示する。
【００３３】
図３に示す例では、「原価低減」という業務戦略を新規追加している。
【００３４】
そして、利用者は、その後、「１．業務戦略の登録」と同様にして、他の登録項目について、既存情報の再登録操作、又は新規追加操作を行う。
【００３５】
図３に示す例では、「２．対象となる戦略に関する関連業務プロセスの登録」において、関連業務プロセスに「加工費低減」を新規追加、「３．対象となる業務プロセスに関連する業務システムの登録」において、関連業務システムに「生産管理システム」の新規追加、「４．対象となる業務システムに関連するシステムのパラメータ情報登録」について、関連するシステムのパラメータ情報として、マスタ名に「作業マスタ」、その作業マスタの関連するフィールド名として「工数レート」、さらに「工数レート」の設定メソッド名として「原価設定」を新規追加操作を行っている。
【００３６】
そして、図３の画面右下の「決定」ボタンをクリックすると、既存情報の再登録、又は新規追加された業務戦略とそれに関連する業務プロセス、業務システム名、マスタ名、フィールド名、設定メソッド名を知識ベース５００に格納し、図２に示すパラメータ設定メニュー画面に戻る。
【００３７】
また、「取消」ボタンをクリックすると、知識ベース５００への格納を行わずに図２に示すパラメータ設定メニュー画面に戻る。
【００３８】
次に、戦略−業務システム関連知識登録手段２００の処理動作について説明する。
【００３９】
図４、図５及び図６は、戦略−業務システム関連知識登録手段２００の処理動作を示すフローチャートである。
【００４０】
まず、戦略−業務システム関連知識登録手段２００の処理が開始されると（Ｓ２００）、まず、知識ベース５００から戦略を全て抽出し（Ｓ２０１）、抽出された戦略を、図３に示す「１．業務戦略の登録」の「既存情報の再登録」選択ボックスに表示する（Ｓ２０２）。
【００４１】
そして、利用者がこの選択ボックスから既知の戦略を選ぶか、「新規追加」ボックスに戦略を入力し、「追加」ボタンをクリックした後、新規追加か選択かの判断を行い（Ｓ２０３）、Ｓ２０３で新規追加と判断されると、図３に示す「１．業務戦略の登録」の「対象となる戦略」ボックスに追加値をセットし（Ｓ２０４）、Ｓ２０３で選択と判断されると、「対象となる戦略」ボックスに選択値をセットする（Ｓ２０５）。
【００４２】
そして、次に対象となる戦略をキーとして、知識ベース５００から業務プロセスを抽出し（Ｓ２０７）、抽出された業務プロセスを図３に示す「２．対象となる戦略に関する関連業務プロセスの登録」の「既存情報の再登録」選択ボックスに表示する（Ｓ２０８）。
【００４３】
そして、利用者がこの選択ボックスから既知の業務プロセスを選ぶか、「新規追加」ボックスに業務プロセスを入力し「追加」ボタンをクリックした後、新規追加か選択かの判断を行い（Ｓ２０９）、Ｓ２０９で新規追加と判断されると、、図３に示す「２．対象となる戦略に関する関連業務プロセスの登録」の「対象となる業務プロセス」ボックスに追加値をセットし（Ｓ２１０）、Ｓ２０９で選択と判断されると、「対象となる業務プロセス」ボックスに選択値をセットする（Ｓ２１１）。
【００４４】
そして、次に対象となる戦略と業務プロセスをキーにして、知識ベース５００から業務システムを抽出し（Ｓ２１２）、業務システムを図３に示す「３．対象となる業務プロセスに関連する業務システムの登録」の「既存情報の再登録」選択ボックスに表示する（Ｓ２１３）。
【００４５】
そして、利用者がこの選択ボックスから既知の業務システム名を選ぶか、「新規追加」ボックスに業務システム名を入力し「追加」ボタンをクリックした後、新規追加か選択かの判断を行い（Ｓ２１４）、Ｓ２１４で新規追加と判断されると、図３に示す「３．対象となる業務プロセスに関連する業務システムの登録」の「対象となる業務システム」ボックスに追加値をセットし（Ｓ２１５）、Ｓ２１４で選択と判断されると「対象となる業務システム」ボックスに選択値をセットする（Ｓ２１６）。
【００４６】
そして、次に対象となる戦略と業務プロセスと業務システム名をキーにして知識ベース５００からマスタ名を抽出し（Ｓ２１７）、マスタ名を図３に示す「４．対象となる業務システムに関連するシステムのパラメータ情報登録」の「既存情報の再登録」選択ボックスに表示する（Ｓ２１８）。
【００４７】
そして、利用者がその選択ボックスから既知のマスタ名を選ぶか、「新規追加」ボックスにマスタ名を入力し「追加」ボタンをクリックした後、新規追加か選択かの判断を行い（Ｓ２１９）、Ｓ２１９で新規追加と判断されると、「対象となるマスタ名」ボックスに追加値をセットし（Ｓ２２０）、Ｓ２１９で選択と判断されると、「対象となるマスタ名」ボックスに選択値をセットする（Ｓ２２１）。
【００４８】
そして、次に対象となる戦略と業務プロセスと業務システム名、マスタ名をキーにして知識ベース５００からフィールド名と設定メソッド名を抽出し（Ｓ２２２）、フィールド名と設定メソッド名を図３に示す、「４．対象となる業務システムに関連するシステムのパラメータ情報登録」の「既存情報の再登録」の「フィールド名」及び「設定メソッド名」選択ボックスに表示する（Ｓ２２３）。
【００４９】
そして、利用者がその選択ボックスから既知のフィールド名を選ぶか、「新規追加」ボックスにフィールド名を入力し「追加」ボタンをクリックした後、新規追加か選択かの判断を行い（Ｓ２２４）、Ｓ２２４で新規追加と判断されれば、「対象となるフィールド名」ボックスに追加値をセットし（Ｓ２２５）、Ｓ２２４で選択と判断されれば、「対象となるフィールド名」ボックスに選択値をセットする（Ｓ２２６）。
【００５０】
そして、設定メソッド名についても、利用者が図３に示す、「４．対象となる業務システムに関連するシステムのパラメータ情報登録」の「既存情報の再登録」選択ボックスから既知の設定メソッド名を選ぶか、「新規追加」ボックスに設定メソッド名を入力し「追加」ボタンをクリックした後、新規追加か選択かの判断を行い（Ｓ２２７）、Ｓ２２７で新規追加と判断されれば、「対象となる設定メソッド名」ボックスに追加値をセットし（Ｓ２２８）、Ｓ２２７で選択と判断されれば、「対象となる設定メソッド名」ボックスに選択値をセットする（Ｓ２２９）。
【００５１】
そして、次に利用者の「決定」、又は「取消」ボタンの選択を判断し（Ｓ２３０）、Ｓ２３０で取消と判断されれば、直ちに、図２に示すパラメータ設定メニュー画面に戻って処理を終了し、Ｓ２３０で決定と判断されれば、対象となる戦略、業務プロセス、業務システム名、マスタ名、フィールド名、設定メソッド名からレコードを作成し知識ベース５００に挿入し（Ｓ２３１）、戦略、業務プロセス、業務システム名をキーにして、知識ベース５００をソートし（Ｓ２３２）、図２に示すパラメータ設定メニュー画面に戻り（Ｓ２３３）、処理を終了する。
【００５２】
ここで、知識ベース５００へのレコードの格納例について説明する。
【００５３】
図７は知識ベース５００へのレコードの格納例を示す図、図８は図７のレコードを木構造で表現した図である。
【００５４】
まず、図７に示すように、レコードは戦略、業務プロセス、業務システム名、マスタ名、フィールド名、設定メソッド名のフィールドから構成されている。
【００５５】
また、図７に示す表形式のレコードは、図８に示すように木構造で表現が可能であり、図８では、原価低減という一つの戦略に対して加工費低減、購入部品費低減の二つの業務プロセス、生産管理と購買管理という二つの業務システム、業務パラメータとして、作業マスタ、品目マスタの２つのマスタが関連していることが分かる。
【００５６】
次に、戦略−関連業務パラメータ検索手段３００の動作について説明する。
【００５７】
まず、戦略−関連業務パラメータ検索手段３００による処理時の表示画面及び利用者の操作について説明する。
【００５８】
図９は、戦略−関連業務パラメータ検索手段３００の処理時における表示画面の一例を示す図である。
【００５９】
戦略−関連業務パラメータ検索手段３００は、知識ベース５００の情報を元に、業務戦略から順に、業務戦略に関連する業務プロセス知識、業務プロセスに関連する業務システム名、業務システムに関連したマスタ名やそのフィールド名のパラメータ情報、及びパラメータ設定メソッドの順で、業務戦略から関連する業務システムパラメータ設定に至る関連性を段階的に情報の提示と検索機能を提供することを目的としている。
【００６０】
まず、「１．業務戦略の選択」では、「戦略選択」ボックスに知識ベース５００に登録された戦略が表示される。
【００６１】
そして、利用者がボックス内の戦略をクリックすると、「選択された戦略」ボックスにクリックされた戦略を表示する。図９に示す例では、「原価低減」という業務戦略が選択されていることを示している。
【００６２】
そして、「２．上記戦略に関する関連業務プロセスの選択」では、「１．業務戦略の選択」で選ばれた戦略に関連する業務プロセスを知識ベース５００から抽出し、「関連業務プロセス選択」ボックスに表示する。
【００６３】
そして、利用者がボックス内の関連業務プロセスをクリックすると、「選択された関連業務プロセス」ボックスにクリックされた関連業務プロセスを表示する。図９に示す例では、「購入部品費低減」という関連業務プロセスが選択されていることを示している。
【００６４】
そして、「３．上記業務プロセスに関連する業務システムとシステムパラメータ」では、「選択された戦略」ボックス、「選択された関連業務プロセス」ボックスに表示された業務戦略と関連業務プロセスに関連する業務システム名、マスタ名、フィールド名、設定メソッド名を知識ベース５００から抽出し、表示する。
【００６５】
図９に示す例では、業務システムとして「購買システム」、マスタ名として「品目マスタ」、フィールド名として「品目コード」、「品名」、「購入単価」、設定メソッド名として「購入単価」が表示されている。
【００６６】
そして、利用者が、「設定メソッド指定」ボタンをクリックすると、パラメータ設定メソッド指定手段４００を起動し、「マスタ名」と「フィールド名」に表示されたマスタファイルのパラメータに関する設定処理に入る。
【００６７】
また、利用者が、「終了」ボタンをクリックすると、図２に示すパラメータ設定メニュー画面に戻る。
【００６８】
次に、戦略−関連業務パラメータ検索手段３００の処理動作について説明する。
【００６９】
図１０は、戦略−関連業務パラメータ検索手段３００の処理動作を示すフローチャートである。
【００７０】
まず、戦略−関連業務パラメータ検索手段３００の処理が開始されると（Ｓ３００）、知識ベース５００のレコードから戦略を抽出し（Ｓ３０１）、抽出された戦略を図９に示す、「１．業務戦略の選択」の「戦略選択」ボックスに表示する（Ｓ３０２）。
【００７１】
そして、利用者が業務戦略を選択した後、図９に示す、「選択された戦略」ボックスに選択値をセットする（Ｓ３０３）。
【００７２】
そして、選択された戦略をキーにして業務プロセスを知識ベース５００から抽出し（Ｓ３０４）、業務プロセスを図９に示す、「２．上記戦略に関する関連業務プロセスの選択」の「関連業務プロセス選択」ボックスに表示する（Ｓ３０５）。
【００７３】
そして、利用者が業務プロセスを選択した後、図９に示す、「選択された関連業務プロセス」に選択値をセットする（Ｓ３０６）。
【００７４】
そして、選択された戦略と業務プロセスをキーにして業務システム名、マスタ名、フィールド名、設定メソッド名を知識ベース５００から抽出し（Ｓ３０７）、業務システム名、マスタ名、フィールド名、設定メソッド名を関連する業務システムとシステムパラメータとして、図９に示す、「３．上記業務プロセスに関連する業務システムとシステムパラメータ」の「業務システム名」、「マスタ名」、「フィールド名」、「設定メソッド名」のボックスに表示する（Ｓ３０８）。
【００７５】
そして、利用者がパラメータの設定を行うために、図９に示す、「設定メソッド指定」か、又は処理終了のための「終了」のボタンを選択したかを判断し（Ｓ３０９）、Ｓ３０９で、「設定メソッド指定」のボタンを選択したと判断されれば、パラメータ設定メソッド指定手段４００の処理に移行し（Ｓ３１０）、Ｓ３０９で、「終了」ボタンを選択したと判断されれば、図２に示すパラメータ設定メニュー画面に戻り（Ｓ３１１）、処理を終了する。
【００７６】
次に、パラメータ設定メソッド指定手段４００の動作について説明する。
【００７７】
まず、パラメータ設定メソッド指定手段４００による処理時の表示画面及び利用者の操作について説明する。
【００７８】
図１１は、パラメータ設定メソッド指定手段４００の処理時における表示画面の一例を示す図である。
【００７９】
パラメータ設定メソッド指定手段４００は、戦略−関連業務パラメータ検索手段３００で選択されたマスタ名、フィールド名を対象として、旧業務システムパラメータデータベース６００からのデータの抽出と表示を行い、利用者が対象フィールドデータに新規設定、又は設定変更を行いたい場合は、対象フィールドデータを操作するための設定式を入力する。パラメータ設定メソッド指定手段４００は設定式に従い、旧業務システムパラメータデータベース６００からの抽出データに対して設定値の演算を行い、新業務システムパラメータを生成し、新業務システムパラメータベース７００に格納することを目的としている。
【００８０】
まず、「設定メソッド名」、「１．マスタ名」、「２．フィールド名」のボックスには、図９に示す戦略−関連業務パラメータ検索手段３００の表示画面の、「３．上記業務プロセスに関連する業務システムとシステムパラメータ」で表示された「設定メソッド名」、「マスタ名」、「フィールド名」のボックスの情報が表示される。
【００８１】
図１１の例では、設定メソッド名として「購入単価」、マスタ名として「品目マスタ」、フィールド名として「品目マスタ」の「品目コード」、「品名」、「購入単価」が表示されている。
【００８２】
そして、「３．旧業務システムパラメータ」では、「マスタ名」と「フィールド名」が示す旧業務システムパラメータデータを表示する。
【００８３】
図１１に示す例では、旧業務システムパラメータの品目マスタの品目コード、品名、購入単価の各フィールドのデータが３つのボックスに表示されている。
【００８４】
そして、「４．設定式」のボックスには、旧業務システムのパラメータデータに関する任意の設定式を利用者が入力する。
【００８５】
図１１に示す例では、品名で、先頭に「クランク」という名称を持つものに対して、その品名の購入単価を従来の９割にするという設定式が指定されている。
【００８６】
そして、「５．設定理由」にも利用者が、任意のコメントを記述できる。
【００８７】
そして、「設定試行」ボタンをクリックすると、「４．設定式」の設定式に従い、旧業務システムパラメータのデータを元に演算を行い、「６．新業務システムパラメータ」の下のボックスに演算結果を表示する。
【００８８】
図１１に示す例では、クランクＸの購入単価とクランクＹの購入単価について、旧業務システムパラメータでの購入単価の２０００、２５００が、新業務システムパラメータで１８００、２２５０となり、従来の９割に設定されている。
【００８９】
そして、利用者が、「決定」ボタンをクリックすると「６．新業務システムパラメータ」の下に表示された業務システムパラメータが新業務システムパラメータデータベース７００に記録され、図２に示すパラメータ設定メニュー画面に戻る。
【００９０】
また、利用者が、「取消」ボタンをクリックした場合は、設定式による演算結果を新業務システムパラメータデータベース７００に記録せず、図２に示すパラメータ設定メニュー画面に戻る。
【００９１】
次に、パラメータ設定メソッド指定手段４００の処理動作について説明する。
【００９２】
図１２は、パラメータ設定メソッド指定手段４００の処理動作を示すフローチャートである。
【００９３】
まず、パラメータ設定メソッド指定手段４００の処理が開始されると（Ｓ４００）、図１０に示す戦略−関連業務パラメータ検索手段３００のＳ３０７で選択された戦略と業務プロセスをキーにして知識ベース５００から抽出された業務システム名、マスタ名、フィールド名、設定メソッド名を引継ぎ、「設定メソッド名」ボックス、「１．マスタ名」ボックス、「２．フィールド名」ボックスに表示する（Ｓ４０１）。
【００９４】
そして、Ｓ４０１で表示されたマスタとそのフィールドのデータを旧業務システムパラメータデータベース６００から抽出して、「３．旧業務システムパラメータ」の下のボックスに表示する（Ｓ４０２）。
【００９５】
そして、利用者は、旧業務システムパラメータの設定値を新規作成、又は変更したい場合は、「４．設定式」ボックス、「５．設定理由」ボックスに設定式と設定理由を入力する（Ｓ４０３）。
【００９６】
そして、利用者の「設定試行」ボタン操作の有無を判定し（Ｓ４０４）、Ｓ４０４で、「設定試行」ボタンが無操作であると判断されると、Ｓ４０４に戻り、Ｓ４０４で、「設定試行」ボタンが選択されたと判断されると、設定式からプログラムを作成し（Ｓ４０５）、プログラムにより、Ｓ４０２で抽出された旧業務システムパラメータデータに設定演算を行い（Ｓ４０６）、演算結果を、「６．新業務システムパラメータ」の下のボックスに表示する（Ｓ４０７）。
【００９７】
そして、演算後の結果を新しい設定として決定するか取消とするかの利用者の操作を、「決定」ボタン、又は「取消」ボタンの操作で判断し（Ｓ４０８）、Ｓ４０８で決定と判断されると、図１１に表示されている設定メソッド名、マスタ名、フィールド名、設定式、設定理由を設定メソッドの情報として知識ベース５００に保存して、演算後の結果を新業務システムパラメータベース７００に保存し（Ｓ４０９）、図２に示すパラメータ設定メニュー画面に戻り（Ｓ４１０）、処理を終了する。
【００９８】
また、Ｓ４０８で取消と判断されると、図２に示すパラメータ設定メニュー画面に戻り（Ｓ４１０）、処理を終了する。
【００９９】
【発明の効果】
以上のように、本発明によれば、記憶装置により、業務戦略とその業務戦略に関係する業務プロセスとの関連性、業務プロセスとその業務プロセスに関係する業務システム及び業務システムパラメータとの関連性、及び業務システムパラメータのパラメータ設定メソッドを登録し、戦略−業務パラメータ検索手段により、記憶装置に登録された情報に基づいて、業務戦略に関連する複数の業務プロセス、業務システム、業務システムパラメータ及びパラメータ設定メソッドを検索し、パラメータ設定メソッド指定手段により、戦略−業務パラメータ検索手段により検索された業務システムパラメータ及びパラメータ設定メソッドに基づいて、業務システムの業務システムパラメータを設定するようにしたので、業務戦略に対する業務プロセス、業務システム、業務システムパラメータとパラメータ設定メソッドの関連性を効率良く検索でき、業務戦略に合わせた業務システムパラメータ設定が容易になり、さらに記憶装置へのデータ登録が進めば、さらに多くの業務戦略の変化に対応した関連性が蓄積されることで、さらに柔軟に対応できるシステムを構築することができるという効果を有する。
【図面の簡単な説明】
【図１】本発明の一実施の形態における業務システムパラメータ設定システムの全体構成図である。
【図２】本発明の一実施の形態における業務システムパラメータ設定システムにおいて、初期メニュー画面の一例を示す図である。
【図３】本発明の一実施の形態における業務システムパラメータ設定システムにおいて、戦略−業務システム関連知識登録手段の処理時における表示画面の一例を示す図である。
【図４】本発明の一実施の形態における業務システムパラメータ設定システムにおいて、戦略−業務システム関連知識登録手段の処理動作を示すフローチャートである。
【図５】本発明の一実施の形態における業務システムパラメータ設定システムにおいて、戦略−業務システム関連知識登録手段の処理動作を示す図４に続くフローチャートである。
【図６】本発明の一実施の形態における業務システムパラメータ設定システムにおいて、戦略−業務システム関連知識登録手段の処理動作を示す図５に続くフローチャートである。
【図７】本発明の一実施の形態における業務システムパラメータ設定システムにおいて、知識ベースへのレコードの格納例を示す図である。
【図８】図７のレコードを木構造で表現した図である。
【図９】本発明の一実施の形態における業務システムパラメータ設定システムにおいて、戦略−関連業務パラメータ検索手段の処理時における表示画面の一例を示す図である。
【図１０】本発明の一実施の形態における業務システムパラメータ設定システムにおいて、戦略−関連業務パラメータ検索手段の処理動作を示すフローチャートである。
【図１１】本発明の一実施の形態における業務システムパラメータ設定システムにおいて、パラメータ設定メソッド指定手段の処理時における表示画面の一例を示す図である。
【図１２】本発明の一実施の形態における業務システムパラメータ設定システムにおいて、パラメータ設定メソッド指定手段の処理動作を示すフローチャートである。
【符号の説明】
１００…入出力装置、２００…戦略−業務システム関連知識登録手段、３００…戦略−関連業務パラメータ検索手段、４００…パラメータ設定メソッド指定手段、５００…知識ベース、６００…旧業務システムパラメータデータベース、７００…新業務システムパラメータデータベース、８００…処理装置、９００…記憶装置。
【図１】
2004252691.tif 000003
【図２】
2004252691.tif 000004
【図３】
2004252691.tif 000005
【図４】
2004252691.tif 000006
【図５】
2004252691.tif 000007
【図６】
2004252691.tif 000008
【図７】
2004252691.tif 000009
【図８】
2004252691.tif 000010
【図９】
2004252691.tif 000011
【図１０】
2004252691.tif 000012
【図１１】
2004252691.tif 000013
【図１２】
2004252691.tif 000014